(57)【特許請求の範囲】
【請求項１】
化学センサーに好適に使用し得る、下記（Ｉ）〜（Ｖ）から選択される少なくとも一種であるシクロデキストリン誘導体。
（Ｉ）３−デオキシ−３−（６−ヒドロキシ−２−ナフトアミド）−βシクロデキストリン
（ＩＩ）３−デオキシ−３−（３−ヒドロキシ−２−ナフトアミド）−βシクロデキストリン
（ＩＩＩ）３−デオキシ−３−（３−ヒドロキシ−２−ナフトアミド）−γシクロデキストリン
（ＩＶ）３−デオキシ−３−（６−ヒドロキシ−１−ナフトアミド）−γシクロデキストリン
（Ｖ）３−デオキシ−３−（２−ヒドロキシ−１−ナフトアミド）−αシクロデキストリン
【請求項２】
請求項１に記載の（Ｉ）〜（Ｖ）からなるシクロデキストリン誘導体の少なくとも一種からなる水中のハロゲン化炭化水素及び／又はカビ臭物質の検出用化学センサー。
【請求項３】
水中に含まれる微量の汚染物質であるハロゲン化炭化水素及び／又はカビ臭物質を選択的に検出する方法であって、
１．センサーとして請求項１に記載の（Ｉ）〜（Ｖ）からなるシクロデキストリン誘導体のグループを準備する工程、
２．当該汚染物質含有水をｐＨ緩衝剤により一定のｐＨに調整し、検水ｉを得る工程、
３．当該検水ｉに（Ｉ）〜（Ｖ）の少なくとも一種を添加し、検水ｉｉを得る工程、及び
４．当該検水ｉｉに紫外線を照射して当該汚染物質に応じた蛍光を発生させる工程、
を含む汚染物質の検出方法。
【発明の詳細な説明】
【技術分野】
【０００１】
本発明は、ハロゲン化炭化水素及びカビ臭物質の検出用化学センサーとして好適に使用し得る、新規シクロデキストリン誘導体に関し、また、これにより、ハロメタン等ハロゲン化炭化水素やカビ臭物質等の汚染物質を選択的に検出する方法を提供するものである。
【背景技術】
【０００２】
現在、食の安全を脅かす事件が頻発し、異臭等がする食品を食した消費者が体調の不良を訴え、病院に担ぎこまれて手当を受ける事件が、マスコミによりしばしば報道されており、消費者の食品の安全性に対する関心、心配、また要求はかってないほどに高まっている。
【０００３】
さらにまた、人間にとって、最も基礎的な食品であり、生命を維持するのに死活的に重要な水（飲料水）に対する消費者のニーズは高く、安全な水であることはもちろん、美味しい水を飲みたい、という要求は極めて高くなっている。国産ものばかりでなく、高価な輸入ブランドのミネラルウォータの市場が年々拡大しているのは、このことを意味している一つの証左と言える。
【０００４】
しかして、この飲料水を各家庭に毎日供給する水道システムにおいては、日本全国の各自治体に設けられている浄水場が重要な役割を有している。
浄水場は、地下水、河川より原水を取入れこれを処理して水道水として各家庭に供給しているが、その品質を維持することは、近年必ずしも容易では無くなっている。一つは、処理不十分な汚染物質を含む工場排水が河川に流入する機会の増加していることや、また、工場内の敷地から有毒な化学物質が地中に滲出し、地下水脈に混入し、地下水を汚染する機会も増えているためである。
【０００５】
各浄水場は、常時取り入れた原水や浄水の水質をモニターしており、もし汚染物質が検出された場合は、取水を停止するか、あるいは薬剤添加や活性炭投与等の手段によりそれらを除去するという安全管理体制をとっている。
【０００６】
しかしながら、問題となっているハロメタン等ハロゲン化炭化水素（以下、ハロメタン等という場合がある。）やカビ臭物質等の分析は、現在、ガスクロマトグラフ−マススペクトル(ガスマス)法により行っているが、一つの検水につき１時間も要している。また、ハロメタン等とカビ臭物質の分析条件が異なっているため、一台のガスマスで同時に分析することが不可能である。さらに、ガスマスは高価である上に、メンテナンスコストも高いので、各浄水場に設置することは実際的ではなく、分析センターに設置し、幾つかの浄水場から送られた検水をまとめて分析する方法をとっている。
【０００７】
従って、検水のサンプリングから分析及びその分析結果に基づく処置との間に大きな時間遅れを伴ってしまうので、水道水を配給する前に異常を検出することが事実上できないため、浄水場では常に必要以上に吸着剤（活性炭等）を投与しており、過剰なコストがかかっている。このように、水道事業においては、ハロメタン等及びカビ臭物質の汚染を迅速に検出できる分析法が大いに必要とされている。
【０００８】
これに対し、本出願人らは、先に、シクロデキストリンの一級水酸基側に蛍光色素を結合させた誘導体が、汚染物質の分子を包接した後にすぐ当該汚染物質に応じた蛍光を発することを見出した。また、これらの誘導体を利用することによって、当該汚染物質を短時間で分析できる可能性を見出した（特許文献１−３を参照）。しかしながら、ハロメタンとカビ臭物質が同時汚染した場合及びハロメタン同士が同時汚染した場合、完全な特定に至ってない。
【先行技術文献】
【特許文献】
【０００９】
【特許文献１】特開平１１−８０２０７号公報（特許請求の範囲、〔０００４〕〜〔００２２〕）
【特許文献２】特開２００１−１３１２０４公報（特許請求の範囲、〔０００８〕〜〔００５６〕）
【特許文献３】特開２００５−２９００６６公報（特許請求の範囲、〔００５０〕〜〔００７４〕）
【発明の概要】
【発明が解決しようとする課題】
【００１０】
本発明の目的は、ハロゲン化炭化水素及びカビ臭物質を高感度で選択的に検出できる化学センサーとして好適に使用し得る二級水酸基側にナフトール単位を導入した新規シクロデキストリン誘導体を提供し、また、これにより、ハロメタン等やカビ臭物質等の汚染物質を迅速かつ選択的に検出する方法を提供することである。
【００１１】
また、本発明の他の目的は、当該分子センサーを使用することにより浄水場等における原水の監視機能の向上、充実、浄化工程の管理、さらにはこのような原水の監視機能の強化により迅速な処置を行うこと等を可能にする飲料水提供システムにおけるモニタリングデバイスを提案することであり、及び家庭用浄水器に適用した場合はそのカートリッジの交換時期が検知できるデバイスを提案することである。
【課題を解決するための手段】
【００１２】
本発明者は、シクロデキストリン（以下「ＣＤ」ということがある。）誘導体のセンサーとしての感度と選択性を向上させる目的で、空洞サイズの異なるＣＤの二級水酸基側に、蛍光性単位としてナフトールの導入について検討し、また、ナフトール単位に含まれる水酸基の解離状態とセンシング特性の調節（変化）についても検討を重ねた結果、当該構造を有する二級水酸基側にナフトール修飾したＣＤが水中に存在するハロメタンとカビ臭物質、またはハロメタン同士を選択的に認識し得ることを見出し、本発明の完成に至った。
【００１３】
〔１〕本発明によれば、化学センサーに好適に使用し得る、下記（Ｉ）〜（Ｖ）から選択される少なくとも一種であるシクロデキストリン誘導体、が提供される。
（Ｉ）３−デオキシ−３−（６−ヒドロキシ−２−ナフトアミド）−βシクロデキストリン
（ＩＩ）３−デオキシ−３−（３−ヒドロキシ−２−ナフトアミド）−βシクロデキストリン
（ＩＩＩ）３−デオキシ−３−（３−ヒドロキシ−２−ナフトアミド）−γシクロデキストリン
（ＩＶ）３−デオキシ−３−（６−ヒドロキシ−１−ナフトアミド）−γシクロデキストリン
（Ｖ）３−デオキシ−３−（２−ヒドロキシ−１−ナフトアミド）−αシクロデキストリン
【００１４】
〔２〕また、本発明によれば、〔１〕に記載の（Ｉ）〜（Ｖ）からなるシクロデキストリン誘導体の少なくとも一種からなる水中のハロゲン化炭化水素及び／又はカビ臭物質の検出用化学センサーが提供される。
【００１５】
〔３〕また、本発明によれば、微量の溶存ハロゲン化炭化水素及び／又はカビ臭物質を汚染物質として含む水より、当該汚染物質を選択的に検出する方法が提供される。すなわち
１．センサーとして〔１〕に記載の（Ｉ）〜（Ｖ）からなるシクロデキストリン誘導体のグループを準備する工程、
２．当該汚染物質含有水をｐＨ緩衝剤により一定のｐＨに調整し、検水ｉを得る工程、
３．当該検水ｉに（Ｉ）〜（Ｖ）の少なくとも一種を添加し、検水ｉｉを得る工程、及び
４．当該検水ｉｉに紫外線を照射して当該汚染物質に応じた蛍光を発生させる工程、
を含む汚染物質の検出方法、が提供される。
【発明の効果】
【００１６】
以下に詳述するように、本発明によれば、ハロゲン化炭化水素及びカビ臭物質用化学センサーとして好適に使用できる、二級水酸基側にナフトール単位を導入した新規ＣＤ誘導体が提供され、当該新規なＣＤ誘導体を化学センサーとして使用することにより、ハロメタン等やカビ臭物質等を汚染物質として含有する水から、これらを迅速かつ選択的に検出する方法を提供できる。特に、当該ＣＤ誘導体のグループを使用することにより、分析のハイスループット化ができ、浄水場等における水質監視機能の向上、充実、水浄化工程の管理、モニタリングシステムの確立などに役立つことが期待できる。
【図面の簡単な説明】
【００１７】
【図１】ＣＤ（Ｉ）にジクロロメタンを添加した場合の各ｐＨでの蛍光スペクトルである。
【図２】ＣＤ（Ｉ）にクロロホルムを添加した場合の各ｐＨでの蛍光スペクトルである。
【図３】ＣＤ（Ｉ）に四塩化炭素を添加した場合の各ｐＨでの蛍光スペクトルである。
【図４】ＣＤ（Ｉ）に２−メチルイソボルネオールを添加した場合の各ｐＨでの蛍光スペクトルである。
【図５】ＣＤ（Ｉ）にジェオスミンを添加した場合の各ｐＨでの蛍光スペクトルである。
【図６】ＣＤ（ＩＩ）に四塩化炭素を添加した場合の各ｐＨでの蛍光スペクトルである。
【図７】ＣＤ（ＩＩＩ）に２−メチルイソボルネオールを添加した場合のｐＨ６．５での蛍光スペクトルである。
【図８】ＣＤ（ＩＩＩ）にジェオスミンを添加した場合のｐＨ６．５での蛍光スペクトルである。
【図９】ＣＤ（Ｖ）にジクロロメタンを添加した場合のｐＨ９．７での蛍光スペクトルである。
【図１０】ＣＤ（Ｉ）のｐＨ６．５の水溶液にハロメタンの添加に伴う４５５ｎｍにおける蛍光強度の変化を示す図である。
【図１１】ＣＤ（Ｉ）のｐＨ９．７の水溶液にハロメタンの添加に伴う４５５ｎｍにおける蛍光強度の変化を示す図である。
【図１２】ＣＤ（ＩＩ）のｐＨ９．７の水溶液に四塩化炭素の添加に伴う５００ｎｍにおける蛍光強度の変化を示す図である。
【図１３】ＣＤ（ＩＩＩ）のｐＨ６．５の水溶液にカビ臭物質の添加に伴う５０５ｎｍにおける蛍光強度の変化を示す図である。
【図１４】ＣＤ（ＩＶ）のｐＨ６．５の水溶液にカビ臭物質の添加に伴う５２０ｎｍにおける蛍光強度の変化を示す図である。
【図１５】ＣＤ（Ｖ）のｐＨ９．７の水溶液にジクロロメタンの添加に伴う４３５ｎｍにおける蛍光強度の変化を示す図である。
【図１６】本発明のＣＤ(Ｉ)〜ＣＤ(Ｖ)による系統的な検出フローの概略図である。
【図１７】本発明の方法を実施するユニットを組み込んだ水質監視システムの概略図である。
【発明を実施するための形態】
【００１８】
以下、本発明を詳細に説明する。
（新規ＣＤ誘導体）
本発明においては、二級水酸基側にナフトール単位を導入した新規ＣＤ誘導体をハロゲン化炭化水素やカビ臭物質等の汚染物質の検出用化学センサーとして使用することを特徴とする。
【００１９】
すなわち、本発明においては、当該化学センサーとして、以下の（Ｉ）〜（Ｖ）からなるＣＤ誘導体のグループを使用するものであり、これらは、
（Ｉ）  ３−デオキシ−３−（６−ヒドロキシ−２−ナフトアミド）−βシクロデキストリン
（ＩＩ）３−デオキシ−３−（３−ヒドロキシ−２−ナフトアミド）−βシクロデキストリン
（ＩＩＩ）３−デオキシ−３−（３−ヒドロキシ−２−ナフトアミド）−γシクロデキストリン
（ＩＶ）３−デオキシ−３−（６−ヒドロキシ−１−ナフトアミド）−γシクロデキストリン
（Ｖ）３−デオキシ−３−（２−ヒドロキシ−１−ナフトアミド）−αシクロデキストリンの５種類である。
念のため、上記（Ｉ）〜（Ｖ）を構造式として示すと以下のとおりである。
【００２０】
【化１】
0005507900.tif 000002
【００２１】
【化２】
0005507900.tif 000003
【００２２】
【化３】
0005507900.tif 000004
【００２３】
【化４】
0005507900.tif 000005
【００２４】
【化５】
0005507900.tif 000006
【００２５】
これら（Ｉ）〜（Ｖ）は、αＣＤ(Ｄ−グルコース数＝６、空洞内径＝０．５ｎｍ)、βＣＤ（Ｄ−グルコース数＝７、空洞内径＝０．７ｎｍ）、γＣＤ（Ｄ−グルコース数＝８、空洞内径＝０．９ｎｍ）の二級水酸基側（すなわち、広い開口側）に、特定の蛍光性物質であるナフトールを導入した蛍光性を有するものであることを特徴とする新規化合物である。
【００２６】
この二級水酸基側にナフトール修飾したＣＤ誘導体は、後記詳述するように、本発明者らが特許文献２において、先に提案した先行センサーである、一級水酸基側にナフトール修飾したＣＤ誘導体（位置異性体）より、ストックシフトが１０〜２０ｎｍ長く、水に存在するハロメタン等のハロゲン化炭化水素とカビ臭物質に対して、異なる蛍光挙動を示し、高選択性及び高感度を有することを特徴としている。
【００２７】
（当該ＣＤ誘導体の合成）
本発明における（Ｉ）〜（Ｖ）は、〔化６〕に示す合成スキームによって合成することができる。
【００２８】
【化６】
0005507900.tif 000007
【００２９】
以下、この合成スキームに従って説明する。
（（Ｉ）の合成）
１．３−アミノβＣＤ０．５ｇをＮ，Ｎ−ジメチルホルムアミド（ＤＭＦ）１０ｍＬに溶解し、６−オキシ−２−ナフトエ酸０．０９ｇ、ジシクロヘキシルカルボジイミド（ＤＣＣ）０．１２ｇ及び1-ヒドロキシベンゾトリアゾール（ＨＯＢｔ）０．０７ｇを加え、０℃で２時間反応させた後、室温で２４時間反応させた。(なお、出発物質の３−アミノβＣＤは試薬として市販されており、容易に入手可能である。(以下の３−アミノＣＤについても同様。))
２．反応終了後、当該反応液にアセトンを加えて再沈し、沈殿物を回収・乾燥し、粗生成物を得た。その後逆相高速液体クロマトグラフィー（ＨＰＬＣ）により精製した（カラム：Ｃ１８；移動相：メタノール/Ｈ2Ｏ（４−４５％）、検出波長：３００ｎｍ、流速：３ｍＬ/分））。このようにして、精製物として、(Ｉ)の黄色の固体０．４ｇを得た。
【００３０】
（（ＩＩ）の合成）
６−オキシ−２−ナフトエ酸０．０９ｇを３−オキシ−２−ナフトエ酸０．０９ｇに替えた以外、（Ｉ）の合成と同様にして反応及び精製を行い、(ＩＩ)の白色の個体０．４ｇを得た。
【００３１】
（（ＩＩＩ）の合成）
１．３−アミノγＣＤ０．５ｇをＤＭＦ１０ｍＬに溶解し、３−オキシ−２−ナフトエ酸０．０８ｇ、ＤＣＣ０．１５ｇ及びＨＯＢｔ０．０８ｇを加え、０℃で２時間反応させた後、室温で５０時間反応させた。
２．反応終了後、（Ｉ）の合成と同様にして精製を行い、(ＩＩＩ)の薄茶色の固体０．６ｇを得た。
【００３２】
（（ＩＶ）の合成）
３−オキシ−２−ナフトエ酸０．０８ｇを６−オキシ−１−ナフトエ酸０．０８ｇに替えた以外、（ＩＩＩ）の合成と同様にして反応及び精製を行い、(ＩＶ)の黄色の個体０．４ｇを得た。
【００３３】
（（Ｖ）の合成）
１．３−アミノαＣＤ０．５ｇをＤＭＦ１０ｍＬに溶解し、２−オキシ−１−ナフトエ酸０．１１ｇ、ＤＣＣ０．１４ｇ及びＨＯＢｔ０．１ｇを加え、０℃で２時間反応させた後、室温で５０時間反応させた。
２．反応終了後、（Ｉ）の合成と同様にして精製を行い、(Ｖ)の白色の固体０．１２ｇを得た。
【００３４】
（（Ｉ）〜（Ｖ）の確認方法）
（ａ）ＴＬＣ
メルク社のＴＬＣプレート（シリカゲル６０Ｆ254層厚０．２５ｍｍ）と展開溶媒（１−ブタノール：エタノール：水＝５：４：３）を用いて行った。
【００３５】
蛍光色素であるナフトール単位は、展開したＴＬＣプレートにＵＶランプの光を当て、発光（蛍光）スポットを肉眼で確認した。シクロデキストリン部分は、アニス試薬（１０％濃硫酸エタノール溶液：アニスアルデヒドエタノール溶液＝１：１）をプレートに吹き付け、ヒートガンで加熱して、紫色のスポットにより確認した。（Ｉ）〜（Ｖ）はそれぞれ一つのスポットで、発光と紫色の両方を確認できるものである。スポットの移動距離を展開溶媒の移動距離で割ったものをＲf値とした。
【００３６】
（ｂ）ＭＳ
島津製作所製のＭＡＬＤＩ III−ＴＯＦ質量分析器により行った。
【００３７】
（ｃ）1Ｈ−ＮＭＲ
ＶａｒｉａｎＶＸＲ−５００Ｓ ＦＴ−ＮＭＲにより行った。
合成したＣＤ誘導体（Ｉ）〜（Ｖ）の物性値を表１にまとめて示す。
【００３８】
【表１】
0005507900.tif 000008
【００３９】
（対象汚染物質）
本発明においては、すでに述べたように、浄水場における水質の管理上特に問題となる水中に溶存する微量なハロメタン等及びカビ臭物質を対象としている。
ハロメタン等としては、下記に示すジクロロメタン（１）、クロロホルム（２）、四塩化炭素（３）等が挙げられる。
【００４０】
このうち、ジクロロメタンと四塩化炭素は、主にメッキ工業などの排水に含有され、地下水の汚染や浄水場に取り入れられる原水の汚染に関与するものである。
また、クロロホルムは、フミン質を含む原水を浄化する過程で、殺菌用に塩素を投与する際に生成される代表的な副産物である。
なお、ハロメタンは、発ガン性があるかもしれない物質（国際ガン研究機関）であるため、水道水（飲料水）の水質基準項目に定められ、厳しく制限されているものである。
【００４１】
【化７】
0005507900.tif 000009
【００４２】
【化８】
0005507900.tif 000010
【００４３】
【化９】
0005507900.tif 000011
【００４４】
また、水道の異臭味の原因物質であるカビ臭物質として、下記のような、２−メチルイソボルネオール（４）と、ジェオスミン（５）が挙げられる。これらの物質は、不快な味を付けるため、飲料水の水質基準項目にも定められ、厳しく制限されているものである。
【００４５】
【化１０】
0005507900.tif 000012
【００４６】
【化１１】
0005507900.tif 000013
【００４７】
（ＣＤ誘導体の蛍光スペクトルの測定）
本発明においては、汚染物質含有水をｐＨ緩衝剤により一定のｐＨに調整し、検水ｉを得るものであるが、好ましくは、測定ｐＨ領域としては、ナフトールの水酸基が非解離状態の領域と、解離状態の領域との二つの領域に調整して検水ｉとすることが望ましい。非解離状態領域としては、ｐＨ範囲が好ましくは４〜７、より好ましくは５〜７、最も好ましくは６．５であり、解離状態領域としては、ｐＨ範囲が好ましくは７．５〜１１、より好ましくは８〜１０、最も好ましくは９．７である。以下、ＣＤ誘導体の蛍光スペクトルの測定は、この最も好ましいｐＨにおいて実施する。
【００４８】
すなわち、本発明におけるＣＤ誘導体は、これを、最も好ましいｐＨ６．５とｐＨ９．７の緩衝液に溶解し、紫外線を照射すると特有の蛍光を発する。また、当該ＣＤ誘導体の水溶液に、例えば（１）〜（５）で表わされる汚染物質を種々の濃度で添加した場合、各ｐＨにおいて蛍光挙動が異なる。この変化のデータに基づいて、ＣＤ（Ｉ）〜ＣＤ（Ｖ）の汚染物質のセンシング特性を把握することができる。すなわち、後記実施例に示すように、このデータを基本として、水に溶存する汚染物質の特定及びそれぞれの濃度を求めることができる。 
【００４９】
ＣＤ誘導体（Ｉ）〜（Ｖ）（以下、それぞれをＣＤ（Ｉ）、ＣＤ（ＩＩ）、・・・という。）の各ｐＨにおける汚染物質非存在時と存在時の蛍光スペクトルの測定結果を、以下に挙げる。なお、各ＣＤ誘導体は、１×１０-4ＭとなるようにｐＨ６.５の緩衝液（クエン酸−ホウ酸−リン酸三ナトリウム）またはｐＨ９．７の緩衝液（炭酸ナトリウム−炭酸水素ナトリウム）に溶解し、２５℃下で測定した。
【００５０】
１．ＣＤ（Ｉ）にジクロロメタン（１）を添加した場合の各ｐＨでの蛍光スペクトル
（ア）ＣＤ（Ｉ）のｐＨ６．５とした水溶液の蛍光スペクトル、及びこれにジクロロメタン（ＣＨ2Ｃｌ2）を種々の濃度で添加した場合の蛍光スペクトルを測定した。励起波長（λｅｘ）は３０６ｎｍとした。結果を図１（ａ）に示す。
（イ）ＣＤ（Ｉ）のｐＨ９．７とした水溶液の蛍光スペクトル、及びこれにジクロロメタンを種々の濃度で添加した場合の蛍光スペクトルを測定した。励起波長（λｅｘ）は３１５ｎｍとした。結果を図１（ｂ）に示す。
【００５１】
図１（ａ）〜（ｂ）より、ジクロロメタン濃度の増加とともにＣＤ（Ｉ）の蛍光強度はｐＨ６．５下で顕著に増大するのに対して、ｐＨ９．７下では全く変化しないというパターンを示すことがわかる。
【００５２】
２．ＣＤ（Ｉ）にクロロホルム（２）を添加した場合の各ｐＨでの蛍光スペクトル
（ア）ＣＤ（Ｉ）のｐＨ６．５とした水溶液の蛍光スペクトル、及びこれにクロロホルム（ＣＨＣｌ3）を種々の濃度で添加した場合の蛍光スペクトルを測定した。励起波長（λｅｘ）は３０１ｎｍとした。結果を図２（ａ）に示す。
（イ）ＣＤ（Ｉ）のｐＨ９．７とした水溶液の蛍光スペクトル、及びこれにクロロホルムを添加した場合の蛍光スペクトルを測定した。励起波長（λｅｘ）は３１５ｎｍとした。結果を図２（ｂ）に示す。
【００５３】
図２（ａ）〜（ｂ）より、クロロホルム濃度の増加とともにＣＤ（Ｉ）の蛍光強度はｐＨ６．５下で増大するのに対して、ｐＨ９．７下では逆に大幅に減少するという特異なパターンを示すことがわかる。
【００５４】
３．ＣＤ（Ｉ）に四塩化炭素（３）を添加した場合の各ｐＨでの蛍光スペクトル
（ア）ＣＤ（Ｉ）のｐＨ６．５とした水溶液の蛍光スペクトル、及びこれに四塩化炭素（ＣＣｌ4）を種々の濃度で添加した場合の蛍光スペクトルを測定した。励起波長（λｅｘ）は２９９ｎｍとした。結果を図３（ａ）に示す。
（イ）ＣＤ（Ｉ）のｐＨ９．７とした水溶液の蛍光スペクトル、及びこれに四塩化炭素を種々の濃度で添加した場合の蛍光スペクトルを測定した。励起波長（λｅｘ）は３２０ｎｍとした。結果を図３（ｂ）に示す。
【００５５】
図３（ａ）〜（ｂ）より、四塩化炭素濃度の増加とともにＣＤ（Ｉ）の蛍光強度は、どちらのｐＨにおいても減少するというパターンを示すことがわかる。また、ｐＨ９．７下で減少がより顕著であることもわかる。
【００５６】
４．ＣＤ（Ｉ）に２−メチルイソボルネオール（４）を添加した場合の各ｐＨでの蛍光スペクトル
（ア）ＣＤ（Ｉ）のｐＨ６．５とした水溶液の蛍光スペクトル、及びこれに２−メチルイソボルネオール（２−ＭＩＢ）を種々の濃度で添加した場合の蛍光スペクトルを測定した。励起波長（λｅｘ）は２９９ｎｍとした。結果を図４（ａ）に示す。
（イ）ＣＤ（Ｉ）のｐＨ９．７とした水溶液の蛍光スペクトル、及びこれに２−メチルイソボルネオールを種々の濃度で添加した場合の蛍光スペクトルを測定した。励起波長（λｅｘ）は３１５ｎｍとした。結果を図４（ｂ）に示す。
【００５７】
図４（ａ）〜（ｂ）より、カビ臭物質である２−メチルイソボルネオール濃度の増加とともにＣＤ（Ｉ）の蛍光強度はｐＨ６．５下で僅かな増大が見られるものの、ｐＨ９．７下ではほとんど変化しないことがわかる。
従って、２−メチルイソボルネオールは、ＣＤ（Ｉ）による当該ハロメタン等の検出に影響を与えないと予想される。
【００５８】
５．ＣＤ（Ｉ）にジェオスミン（５）を添加した場合の各ｐＨでの蛍光スペクトル
（ア）ＣＤ（Ｉ）のｐＨ６．５とした水溶液の蛍光スペクトル、及びこれにジェオスミン（Ｇｅｏ）を種々の濃度で添加した場合の蛍光スペクトルを測定した。励起波長（λｅｘ）は２８５ｎｍとした。結果を図５（ａ）に示す。
（イ）ＣＤ（Ｉ）のｐＨ９．７とした水溶液の蛍光スペクトル、及びこれにジェオスミンを種々の濃度で添加した場合の蛍光スペクトルを測定した。励起波長（λｅｘ）は３１５ｎｍとした。結果を図５（ｂ）に示す。
【００５９】
図５（ａ）〜（ｂ）より、２−ＭＩＢと同様に、ジェオスミン濃度の増加とともにＣＤ（Ｉ）の蛍光強度はｐＨ６．５下で僅かな増大が見られるものの、ｐＨ９．７下ではほとんど変化しないことがわかる。
この結果によって、ジェオスミンも、ＣＤ（Ｉ）による当該ハロメタン等の検出に影響を与えないと予想される。
すなわち、ＣＤ（Ｉ）の特徴は、カビ臭物質の影響を受けず、ｐＨの変化によって当該ハロメタンの種類を見分けられることである。
このようにして、ＣＤ（Ｉ）は、カビ臭物質が混在する場合に、単独で当該ハロメタン等の検出用センサーとして利用できる。
【００６０】
６．ＣＤ（ＩＩ）に四塩化炭素（３）を添加した場合の各ｐＨでの蛍光スペクトル
（ア）ＣＤ（ＩＩ）のｐＨ６．５とした水溶液の蛍光スペクトル、及びこれに四塩化炭素を種々の濃度で添加した場合の蛍光スペクトルを測定した。励起波長（λｅｘ）は３３７ｎｍとした。結果を図６（ａ）に示す。
（イ）ＣＤ（ＩＩ）のｐＨ９．７とした水溶液の蛍光スペクトル、及びこれに四塩化炭素を種々の濃度で添加した場合の蛍光スペクトルを測定した。励起波長（λｅｘ）は３７２ｎｍとした。結果を図６（ｂ）に示す。
【００６１】
図６（ａ）〜（ｂ）より、四塩化炭素濃度の増加とともに、ＣＤ（ＩＩ）の蛍光強度はどちらのｐＨにおいても顕著に減少することがわかる。
ＣＤ（ＩＩ）の特徴は、ｐＨ９．７で四塩化炭素のみを検出できることである。
従って、ＣＤ（ＩＩ）により、ジクロロメタン、クロロホルム及びカビ臭物質が混在する場合に、四塩化炭素を選択的に検出用センサーとして利用できる。
なお、四塩化炭素以外の汚染物質を添加したところ、蛍光スペクトルの変化はほとんど見られなかったため記載を省略した（以下同じ。）。
【００６２】
７．ＣＤ（ＩＩＩ）に２−メチルイソボルネオール（４）又はジェオスミン（５）を添加した場合のｐＨ６．５における蛍光スペクトル
（ア）ＣＤ（ＩＩＩ）のｐＨ６．５とした水溶液の蛍光スペクトル、及びこれに２−メチルイソボルネオールを種々の濃度で添加した場合の蛍光スペクトルを測定した。励起波長（λｅｘ）は３４８ｎｍとした。結果を図７に示す。
（イ）ＣＤ（ＩＩＩ）のｐＨ６．５とした水溶液の蛍光スペクトル、及びこれにジェオスミンを種々の濃度で添加した場合の蛍光スペクトルを測定した。励起波長（λｅｘ）は３４８ｎｍとした。結果を図８に示す。
【００６３】
図７〜８より、２−メチルイソボルネオール濃度又はジェオスミン濃度の増加とともに、ＣＤ（ＩＩＩ）の蛍光強度はｐＨ６．５下で増大するが、ジェオスミンの場合、より著しく増大することがわかる。
ＣＤ（ＩＩＩ）の特徴は、ｐＨ６．５でジクロロメタン、クロロホルム及び四塩化炭素にほとんど反応せず、カビ臭物質、特に、ジェオスミンに感度良く反応することである。
従って、ＣＤ（ＩＩＩ）は、当該ハロメタンが混在する場合でも、当該カビ臭物質、特にジェオスミンの検出用センサーとして利用できる。
【００６４】
８．ＣＤ（ＩＶ）に２−メチルイソボルネオール（４）又はジェオスミン（５）を添加した場合のｐＨ６．５における蛍光スペクトル
（ア）ＣＤ（ＩＶ）のｐＨ６．５とした水溶液の蛍光スペクトル、及びこれに２−メチルイソボルネオールを種々の濃度で添加した場合の蛍光スペクトルを測定した。励起波長（λｅｘ）は３２０ｎｍとした。
そのスペクトルは、ＣＤ（ＩＩＩ）の結果を示す図７に比べ、蛍光強度が弱いものの、類似していたため記載を省略した。
（イ）ＣＤ（ＩＶ）のｐＨ６．５とした水溶液の蛍光スペクトル、及びこれにジェオスミンを種々の濃度で添加した場合の蛍光スペクトルを測定した。励起波長（λｅｘ）は３１５ｎｍとした。
そのスペクトルは、ＣＤ（ＩＩＩ）の結果を示す図８に比べ、蛍光強度が弱いものの、類似していたため記載を省略した。
【００６５】
９．ＣＤ（Ｖ）にジクロロメタン（１）を添加した場合のｐＨ９．７における蛍光スペクトル
ＣＤ（Ｖ）のｐＨ９．７とした水溶液の蛍光スペクトル、及びこれにジクロロメタンを種々の濃度で添加した場合の蛍光スペクトルを測定した。励起波長（λｅｘ）は２９９ｎｍとした。結果を図９に示す。
【００６６】
図９より、ジクロロメタン濃度の増加とともにＣＤ（Ｖ）の蛍光強度はｐＨ９．７下で顕著に増大することがわかる。
ＣＤ（Ｖ）の特徴は、ｐＨ９．７でジクロロメタンのみを検出できることである。
従って、ＣＤ（Ｖ）は、他の汚染物質が混在する場合でも、ジクロロメタンの選択的に検出用センサーとして利用できる。
【００６７】
以上１．〜９．をふまえれば、本発明によって、水中に含まれる微量の汚染物質であるハロゲン化炭化水素及び／又はカビ臭物質を選択的に検出する一般的な方法が提供されることが理解される。すなわち、当該方法は、
まず、センサーとしてＣＤ（Ｉ）〜ＣＤ（Ｖ）からなるシクロデキストリン誘導体のグループを準備する工程を行い、
つぎに、当該汚染物質含有水を、ｐＨ緩衝剤により、例えば上記したようなｐＨ６．５や９．７のような特定のｐＨに調整することにより、検水ｉを得る工程を行い、
さらに当該検水ｉに、ＣＤ（Ｉ）〜ＣＤ（Ｖ）の少なくとも一種を添加することにより、検水ｉｉを得る工程を行い、さらに
当該検水ｉｉに、紫外線を照射して当該汚染物質に応じた特有の蛍光を発生させる工程、を含む汚染物質の検出方法である。
【００６８】
このようにして、ＣＤ（Ｉ）〜ＣＤ（Ｖ）の水溶液に、ハロメタン等汚染物質を添加した場合、上記１．〜９．で詳述したように、ｐＨ６．５や９．７等の各ｐＨにおいて、蛍光挙動が異なるので、このデータに基づいて、ＣＤ（Ｉ）〜ＣＤ（Ｖ）の汚染物質のセンシング特性を把握することができるのである。すなわち、後記実施例に示すように、このデータを基本として、水に溶存する汚染物質の特定及びそれぞれの濃度を求めることができる。
【００６９】
なお、念のため、その他の下記一般式で表されるＣＤ誘導体は、上記したＣＤ（Ｉ）〜ＣＤ（Ｖ）に次いで、汚染物質に対してはある程度の検出能を持つものであることを本発明者は見いだしており、化学センサーとしての候補化合物になりうるものと考えている。
【００７０】
【化１２】
0005507900.tif 000014
【００７１】
（作用及び考察）
本発明において、ＣＤ(Ｉ)〜ＣＤ(Ｖ)を化学センサーとして使用することにより、以上のような汚染物質を選択的に分析するという効果を奏することができるのは、以下の理由にあると推測される。すなわち、
ひとつは、ＣＤの二級水酸基の一つがアミノ化されることにより、対称性の空洞に歪みが生じ、中へ取り込む汚染物質に対して形状要求が厳しくなり、選択性の高いＣＤ誘導体が導出（創出）されたものと思われる。
【００７２】
また、二つめは、ＣＤ空洞サイズの違いにより汚染物質にメッシュ違いの分子篩を掛けることができ、それぞれのターゲット汚染物質に対して形状だけではなく、サイズも絞っており、高選択性かつ高感度のＣＤ誘導体が導出されたと思われる。
【００７３】
三つめは、ｐＨを調整することによって、ナフトールの解離状態を変化させ、ナフタレン環とＣＤ空洞の自己包接状態をより有利に調整ができるので、なお一層の高感度が実現できたものと考えられる。
【実施例】
【００７４】
以下、実施例をあげて本発明を具体的に説明するが、本発明の技術的範囲がこれに限定されるものではない。
〔実施例１〕（ＣＤ（Ｉ））
ＣＤ（Ｉ）を１×１０-4ＭとなるようにｐＨ６.５の緩衝液に溶解し、これに各種ハロメタンを種々の濃度で添加し、４５５ｎｍでの蛍光強度を測定した。
結果を図１０に示す。図において、縦軸の蛍光強度差ΔＩは、Ｉ−Ｉ0を表す。Ｉ0は汚染物質非存在（無添加）時の４５５ｎｍにおける蛍光強度であり、Ｉは汚染物質存在（添加）時の同波長における蛍光強度である。ΔＩが正数の場合は、汚染物質の濃度の増加に伴い蛍光強度が増加することを意味し、ΔＩが負数の場合は、逆に汚染物質の濃度の増加に伴い蛍光強度が減少することを意味する。このようにして、このデータを基本として、水に溶存する汚染物質の特定及びそれぞれの濃度を求めることができる。
【００７５】
図１０は、ｐＨ６．５下でＣＤ（Ｉ）の蛍光強度差ΔＩが、ハロメタンの濃度と高い相関を保ちながら、ジクロロメタンの添加により急激に増加すること、クロロホルムの添加により緩やかに増加すること、および四塩化炭素の添加により緩やかに減少することを、それぞれ示している。その検出感度は、先行センサーと比較して、ジクロロメタンに対して約４０倍、クロロホルムに対して約１２倍、四塩化炭素に対して約４倍高くなっている。
【００７６】
〔実施例２〕（ＣＤ（Ｉ））
ＣＤ（Ｉ）を１×１０-4ＭとなるようにｐＨ９.７の緩衝液に溶解し、その他は実施例１と同じ条件で測定を行った。その結果を図１１に示す。
図１１は、ｐＨ９．７下でＣＤ（Ｉ）の蛍光強度差ΔＩが、ハロメタンの濃度と高い相関を保ちながら、ｐＨ６．５の場合（実施例１）とは異なった結果を示している。
【００７７】
すなわち、ΔＩは、ジクロロメタンの添加によりほとんど変化しないが、クロロホルムの添加により緩やかに減少し、四塩化炭素の添加により急激に減少することを示している。その検出感度は、先行センサーと比較して、クロロホルムに対して約１２倍、四塩化炭素に対して約１．８倍高くなっている。
実施例１と実施例２は、当該ハロメタンが汚染した検水の場合、ＣＤ（Ｉ）のｐＨによるΔＩの変化パターンを利用して、それぞれを特定し、感度良く検出できることを示唆している。
【００７８】
〔実施例３〕（ＣＤ（ＩＩ））
ＣＤ（ＩＩ）を１×１０-4ＭとなるようにｐＨ９.７の緩衝液に溶解し、これに四塩化炭素を種々の濃度で添加し、５００ｎｍでの蛍光強度を測定した。結果を図１２に示す。
【００７９】
図１２は、ｐＨ９．７下でＣＤ（ＩＩ）の蛍光強度差ΔＩが四塩化炭素の濃度と高い相関を保ちながら、四塩化炭素のみの添加により減少することを示している。その検出感度は、先行センサーと比較してやや低いが、選択性が極めて高いという特徴を持っている。
実施例３は、他のハロメタンやカビ臭物質が混在している検水の場合、ＣＤ（ＩＩ）を用いて四塩化炭素を選択的に検出できることを示唆している。
【００８０】
〔実施例４〕（ＣＤ（ＩＩＩ））
ＣＤ（ＩＩＩ）を１×１０-4ＭとなるようにｐＨ６．５の緩衝液に溶解し、これにカビ臭物質を種々の濃度で添加し、５０５ｎｍでの蛍光強度を測定した。結果を図１３に示す。
【００８１】
図１３は、ｐＨ６．５下でＣＤ（ＩＩＩ）の蛍光強度差ΔＩが２−メチルイソボルネオール濃度又はジェオスミン濃度と高い相関を保ちながら、各々の添加によりいずれも大幅に増加するが、特にジェオスミンの添加により増加が激しいことを示している。その検出感度は、先行センサーと比較して、２−メチルイソボルネオールに対して約１．４倍、ジェオスミンに対して約４．５倍高くなっている。
【００８２】
〔実施例５〕（ＣＤ（ＩＶ））
ＣＤ（ＩＶ）を１×１０-4ＭとなるようにｐＨ６．５の緩衝液に溶解し、これに二種類のカビ臭物質を種々の濃度で添加し、５２０ｎｍでの蛍光強度を測定した。結果を図１４に示す。
【００８３】
図１４は、ｐＨ６．５下でＣＤ（ＩＶ）の蛍光強度差ΔＩが２−メチルイソボルネオール濃度又はジェオスミン濃度と高い相関を保ちながら、各々の添加によりいずれも増加するが、特にジェオスミンの添加により増加が激しいことを示している。その検出感度は、先行センサーと比較して、２−メチルイソボルネオールに対して低くなったが、ジェオスミンに対してはやや高くなっている。
実施例４と実施例５は、カビ臭物質、特にジェオスミンが汚染した検水の場合、ＣＤ（ＩＩＩ）とＣＤ（ＩＶ）を用いて検出できることを示唆している。
【００８４】
〔実施例６〕（ＣＤ（Ｖ））
ＣＤ（Ｖ）を１×１０-4ＭとなるようにｐＨ９．７の緩衝液に溶解し、これにジクロロメタンを種々の濃度で添加し、４３５ｎｍでの蛍光強度を測定した。結果を図１５に示す。
【００８５】
図１５は、ｐＨ９．７下でＣＤ（Ｖ）の蛍光強度差ΔＩがジクロロメタン濃度と高い相関を保ちながら、ジクロロメタンの添加により増加することを示している。その検出感度は先行センサーと比較して約１０倍高くなっている。
実施例６は、他の汚染物質が混在した検水の場合、ＣＤ（Ｖ）を用いてジクロロメタンを選択的に検出できることを示唆している。
【００８６】
(本発明による汚染物質の検出・特定)
以上、実施例１〜実施例６の結果を総合すれば、ＣＤ(Ｉ)〜ＣＤ(Ｖ)を組み合わせてセンサーとして使用することにより、水中に溶存(混在)するハロメタン及びカビ臭物質からなる汚染物質の特定及びこれらを選択的に検出（定量）することができ、さらには水質監視システムを構成することができる。
【００８７】
図１６は、このシステムに含まれる系統的な検出フローの概略図を示すものである。以下、図に基づいて説明する。
検出の対象とする汚染物質としては、図の上部に示したように、ジクロロメタン、クロロホルム、四塩化炭素からなるハロメタンと、２−メチルイソボルネオール、ジェオスミンからなるカビ臭物質を想定する。検水中には、少なくともこのうちの一種類が存在しており、場合によっては、当該五種類の汚染物質のすべてが混在している。
【００８８】
なお、これらの汚染物質は、分子の大きさ及び形状の違いを分かり易くするため、ＣＰＫモデルで立体的に表示してある。ΔＩが大きく変化する場合、汚染物質の分子サイズ（形状）とＣＤ誘導体の空洞サイズ(形状)との適合性が高いと考えられる。
【００８９】
(ａ)検水中にジクロロメタン、クロロホルム、四塩化炭素が混在する場合は、ＣＤ(Ｉ)をメインの検出センサーとして使用する。
検水をｐＨ６．５及びｐＨ９．７にして、ＣＤ(Ｉ)を用いてΔＩを測定し、当該ΔＩの変化パターンに基づいて、当該三種類のハロメタンを特定することができる。
【００９０】
すなわち、ｐＨ６．５とｐＨ９．７の条件下で、ＣＤ（Ｉ）のΔＩが、正とゼロのパターンが出た場合は、ジクロロメタン汚染と、正と負のパターンが出た場合は、クロロホルム汚染と、および、負と負のパターンが出た場合は、四塩化炭素汚染が発生していると、それぞれのハロメタンを特定し、判断することができる。
【００９１】
（ｂ）検水中にジクロロメタンまたは四塩化炭素のみが存在する場合及び（ａ）の検出精度を高めるためには、ＣＤ（Ｖ）とＣＤ（ＩＩ）をセンサーとして使用する。
検水をｐＨ９．７にして、ＣＤ（Ｖ）とＣＤ（ＩＩ）を用いてΔＩを測定する。ＣＤ（Ｖ）のΔＩが正になった場合、ジクロロメタン汚染と、また、ＣＤ（ＩＩ）のΔＩが負になった場合、四塩化炭素汚染が発生していると、それぞれ判断できる。
【００９２】
なお、βＣＤ誘導体であるＣＤ（Ｉ）、ＣＤ（ＩＩ）及びαＣＤ誘導体であるＣＤ（Ｖ）にとって、カビ臭物質の分子サイズが大きいため、それらのβＣＤとαＣＤの空洞に入りにくいことは明確であり、混在してもハロメタンの検出に影響を与えないと考えられる。
【００９３】
（ｃ）検水中にカビ臭物質が存在する場合は、ＣＤ（ＩＩＩ）を検出センサーとして使用する。
検水をｐＨ６．５にして、ＣＤ（ＩＩＩ）を用いてΔＩを測定する。ΔＩが正になった場合、カビ臭物質汚染が発生していると判断できる。
【００９４】
（ｄ）検水中にカビ臭物質と四塩化炭素が混在する場合は、ＣＤ（ＩＶ）をセンサーとして使用する。
検水をｐＨ６．５にして、ＣＤ（ＩＶ）を用いてΔＩを測定する。ＣＤ（ＩＶ）は四塩化炭素から受ける影響がＣＤ（ＩＩＩ）より小さいため、ΔＩが正になった場合、より高い精度でカビ臭物質汚染が発生していると判断できる。
【００９５】
ＣＤ（ＩＩＩ）とＣＤ（ＩＶ）に共通して言えることは、カビ臭物質のどちらか一方の割合が他方に比べて圧倒的に大きい場合は、同定だけでなく定量も可能であるということである。
なお、γＣＤ誘導体であるＣＤ（ＩＩＩ）及びＣＤ（ＩＶ）にとって、ハロメタンの分子サイズが小さいため、それらのγＣＤの空洞と相互作用が起きにくいことは明白であり、混在してもカビ臭物質の検出にほとんど影響を与えないと考えられる。
【００９６】
（ｅ）以上（ａ）〜（ｄ）により、検水中の当該汚染物質の汚染が判断された場合、各汚染物質の濃度とΔＩの相関を示す図１０〜１５を参照することにより、その濃度を容易に算出できる。
【００９７】
（本発明の応用−水質監視システム）
図１７は、本発明の方法を実施するユニットを組み込んだ水質監視システムの模式図を示すものである。
【００９８】
（ＡＡ）は、蛍光発生検出ユニットであって、当該ユニットにおいて、測定対象の汚染物質を含む検水ＳとＣＤ誘導体からなるセンサーＡ、Ｂ、Ｃ（数は限定しない）とを混合すると、蛍光が発生し汚染物質が検出される。
【００９９】
（ａ）図においてセンサーＡ、Ｂ、Ｃ、・・・は、ＣＤ（Ｉ）、ＣＤ（ＩＩ）、ＣＤ（ＩＩＩ）、・・・を含む特定のｐＨ（例えばｐＨ６．５及びｐＨ９．７）にした水溶液である。最初に、このセンサー溶液は専用のプレート（例えば９６ウェルプレート(凹部を碁盤目に形成したプレート)）のウェルに分注される。
【０１００】
（ｂ）次に、汚染物質を含む検水Ｓが、（ａ）のセンサー溶液が入っているウェルへ分注される。
【０１０１】
（ｃ）分注された検水Ｓとセンサー溶液Ａ、Ｂ、Ｃ、・・・は、ミキシングされた後、蛍光発生ユニット（ＡＡ）により測定される。
蛍光発生検出ユニット（ＡＡ）で得られたデータは、演算・表示ユニットである（ＢＢ）に出力され、処理されて、ΔＩが算出される。その結果は、表示手段（ＣＣ）に示される。
【０１０２】
ここで、（ア）は三種類のハロメタンと二種類のカビ臭物質がそれぞれ溶存する検水の測定データ表示画面の一例である。また、（イ）のように、これを一目で把握し易いように、カラーで表示することもできる。この場合、それらの内容を直感的に把握し易いように、汚染度に応じた色で表示することができる。さらに、（ＢＢ）により警告音を同時に発するように構成することもできる。
【０１０３】
なお、この蛍光発生検出ユニット（ＡＡ）は、例えば各浄水場の運転管理室に設置して、そこでリアルタイムにサンプル分析を行い、その結果に基づく運転管理を行うことができるが、さらに好ましくは、その結果がリアルタイムに、公衆データ通信網やインターネット等を通じて、中央制御ユニット(ＤＤ)に送信され、遠方から水質監視やデータ解析などを行うことができることである。たとえば、異常が検出された場合は、中央制御ユニット(ＤＤ)では、スタッフが現場から離れても、当該浄水場に対し、速やかに適切な運転の指示を行うことができる。
【産業上の利用可能性】
【０１０４】
本発明によれば、ハロゲン化炭化水素及びカビ臭物質用化学センサーとして好適に使用できる、二級水酸基側にナフトール単位を導入した新規ＣＤ誘導体が提供され、当該新規なＣＤ誘導体を化学センサーとして使用することにより、ハロメタン等やカビ臭物質等を汚染物質として含有する水から、これらを高感度で、迅速かつ選択的に検出・特定する方法を提供できる。
【０１０５】
このようにしてこれらを化学センサーとして使用することにより、分析のハイスループット化ができ、浄水場等における水質監視機能の向上、充実、水浄化工程の管理、モニタリングシステムの確立などに役立つことが期待できる。また、家庭用浄水器に適用した場合のカートリッジの交換時期の検知、さらには安全な食品製造にも利用可能であるため、その産業上の利用可能性はきわめて大きい。
【符号の説明】
【０１０６】
ＡＡ  蛍光発生・検出ユニット
ＢＢ  演算・表示ユニット
ＣＣ  表示手段
ＤＤ  中央制御ユニット
【図１】
0005507900.tif 000015
【図２】
0005507900.tif 000016
【図３】
0005507900.tif 000017
【図４】
0005507900.tif 000018
【図５】
0005507900.tif 000019
【図６】
0005507900.tif 000020
【図７】
0005507900.tif 000021
【図８】
0005507900.tif 000022
【図９】
0005507900.tif 000023
【図１０】
0005507900.tif 000024
【図１１】
0005507900.tif 000025
【図１２】
0005507900.tif 000026
【図１３】
0005507900.tif 000027
【図１４】
0005507900.tif 000028
【図１５】
0005507900.tif 000029
【図１６】
0005507900.tif 000030
【図１７】
0005507900.tif 000031